(57)【要約】【課題】刈草を円滑に搬送する草刈機の提供。【解決手段】モーアユニット２は、左右一対のブレード２１０Ｌ、２１０Ｒと、左右一対のブレード取り付け円盤２１２Ｌ、２１２Ｒと、当該ブレード及び円盤を収納するためのモーアデッキ２００と、モーアデッキの後方に向けて刈草を搬送する刈草搬送筒１８とを有し、モーアデッキは、ブレードの外端の回転軌跡に沿ってモーアデッキの天面に設けられた第１ガイド２２０と、円盤の外周端に沿ってモーアデッキの天面に設けられた左右一対の第２ガイド２２１Ｌ、２２１Ｒと、右側の円盤は反時計方向に回転し、左側の円盤は時計方向に回転して刈り取られる刈草を搬送する、第１ガイドと第２ガイドとの間に設けられた左右一対の第１搬送経路２３０Ｌ、２３０Ｒと、第２ガイドの間に設けられ、第１搬送経路からの刈草を搬送する第２搬送経路２４０とを有し、モーアデッキの天面には、円盤の上方に吸風口２０１がある。【選択図】図２
2014057555.tif 000002
【特許請求の範囲】
【請求項１】
走行車体と、
前記走行車体の前側に連結されたモーアユニットと、を備えた草刈機であって、
前記モーアユニットは、
回転しながら草を刈る左右一対のブレードと、
前記左右一対のブレードがそれぞれ取り付けられ、左右一対の回転軸に固定された左右一対の円盤と、
前記左右一対のブレード及び前記左右一対の円盤を収納するための、底面側が開放された箱状体のモーアデッキと、
前記モーアデッキの後部の中央位置から後方に向けて刈草を搬送する刈草搬送筒とを有し、
前記モーアデッキは、
前記左右一対のブレードの外端の回転軌跡に沿って前記モーアデッキの天面に設けられた第１ガイドと、
前記左右一対の円盤の外周端に沿って前記モーアデッキの天面に設けられた左右一対の第２ガイドと、
前記モーアデッキの平面視で前記左右一対の円盤の内の右側の円盤は反時計方向に回転し、左側の円盤は時計方向に回転することにより刈り取られる刈草を搬送する、前記第１ガイドと前記第２ガイドとの間に設けられた左右一対の第１搬送経路と、
前記左右一対の第２ガイドの間に設けられ、前記左右一対の第１搬送経路からの前記刈草を搬送する、前記刈草搬送筒と連通した第２搬送経路とを有し、
前記モーアデッキの天面には、前記左右一対の円盤の上方において吸風口が設けられていることを特徴とする、草刈機。
【請求項２】
前記左右一対の第１搬送経路の天面は、前記左右一対の第１搬送経路の前記刈草が搬送される向きを基準として、上流端側から下流側に向けて所定範囲で高くなっていることを特徴とする、請求項１に記載の草刈機。
【請求項３】
前記モーアデッキの前側の、左右方向を基準とした中央部に回転可能に取り付けられた接地ローラと、
前記接地ローラを前記モーアデッキに取り付けるための左右一対の取り付け部材とを備え、
前記左右一対の取り付け部材は、前後方向に沿って配置され、前記接地ローラをその間に挟んだ前側部と、前記前側部から後方に向かうに従って左右外側に向かう様に屈曲された後側部とから構成されていることを特徴とする、請求項１又は２に記載の草刈機。
【請求項４】
前記モーアデッキの左右側壁の内面と前記第１ガイドの外面との間には、それぞれ案内板が設けられており、前記案内板の面方向が前記円盤側に向けられていることを特徴とする、請求項３に記載の草刈機。
【発明の詳細な説明】
【技術分野】
【０００１】
本発明は、草刈装置（モーアユニット）を備えた草刈機に関する。
【背景技術】
【０００２】
従来、草刈や芝刈り作業を行うモーアユニットを走行車体の前側に連結した所謂フロントモーア型の乗用草刈機において、モーアユニットで刈り取った刈草をシュータを経由してブロアーに送られ、更に、ブロアーから刈草を収容するコレクターに空気搬送されるものが知られている（例えば、特許文献１参照。）。
【０００３】
即ち、特許文献１の草刈機では、モーアユニット内には、左右一対のブレードが配置されており、平面視で左右一対のブレードの内、右側のブレードが時計方向に回転し、左側のブレードが反時計方向に回転する構成である。このブレードの回転により草が刈り取られて、その刈り取られた刈草がモーアユニット内の後部に一端が連結されたシュータから、ブロアーによる吸引力でコレクターに搬送される構成である。
【先行技術文献】
【特許文献】
【０００４】
【特許文献１】ＥＰ０７６３３１９公報
【発明の概要】
【発明が解決しようとする課題】
【０００５】
しかしながら、特許文献１に示す草刈装置では、右側のブレードが時計方向に回転し、左側のブレードが反時計方向に回転する構成であるため、刈草がシュータの一端においてぶつかり合いながら、ブロアーにより吸引されるので、ブロアーによる吸引力が低いときには、刈草の円滑な搬送が行えないという課題があった。
【０００６】
本発明の目的は、従来のフロントモーア型の草刈機の上記の課題を考慮し、刈草をより円滑に搬送出来る草刈機を提供することを目的とする。
【課題を解決するための手段】
【０００７】
上記目的を達成するために、第１の本発明は、
走行車体と、
前記走行車体の前側に連結されたモーアユニットと、を備えた草刈機であって、
前記モーアユニットは、
回転しながら草を刈る左右一対のブレードと、
前記左右一対のブレードがそれぞれ取り付けられ、左右一対の回転軸に固定された左右一対の円盤と、
前記左右一対のブレード及び前記左右一対の円盤を収納するための、底面側が開放された箱状体のモーアデッキと、
前記モーアデッキの後部の中央位置から後方に向けて刈草を搬送する刈草搬送筒とを有し、
前記モーアデッキは、
前記左右一対のブレードの外端の回転軌跡に沿って前記モーアデッキの天面に設けられた第１ガイドと、
前記左右一対の円盤の外周端に沿って前記モーアデッキの天面に設けられた左右一対の第２ガイドと、
前記モーアデッキの平面視で前記左右一対の円盤の内の右側の円盤は反時計方向に回転し、左側の円盤は時計方向に回転することにより刈り取られる刈草を搬送する、前記第１ガイドと前記第２ガイドとの間に設けられた左右一対の第１搬送経路と、
前記左右一対の第２ガイドの間に設けられ、前記左右一対の第１搬送経路からの前記刈草を搬送する、前記刈草搬送筒と連通した第２搬送経路とを有し、
前記モーアデッキの天面には、前記左右一対の円盤の上方において吸風口が設けられていることを特徴とする、草刈機である。
【０００８】
これにより、ブレードで刈り取られた刈草が第１搬送経路から第２搬送経路を経て刈草搬送筒に搬送されるため、刈草をより円滑に搬送することが出来る。
【０００９】
また、第２の本発明は、
前記左右一対の第１搬送経路の天面は、前記左右一対の第１搬送経路の前記刈草が搬送される向きを基準として、上流端側から下流側に向けて所定範囲で高くなっていることを特徴とする、上記第１の本発明の草刈機である。
【００１０】
これにより、第１搬送経路内において乱流が発生し難くなり、刈草をより円滑に搬送出来る。
【００１１】
また、第３の本発明は、
前記モーアデッキの前側の、左右方向を基準とした中央部に回転可能に取り付けられた接地ローラと、
前記接地ローラを前記モーアデッキに取り付けるための左右一対の取り付け部材とを備え、
前記左右一対の取り付け部材は、前後方向に沿って配置され、前記接地ローラをその間に挟んだ前側部と、前記前側部から後方に向かうに従って左右外側に向かう様に屈曲された後側部とから構成されていることを特徴とする、上記第１又は第２の本発明の草刈機である。
【００１２】
これにより、草をモーアユニット内に円滑に案内出来る。
【００１３】
また、第４の本発明は、
前記モーアデッキの左右側壁の内面と前記第１ガイドの外面との間には、それぞれ案内板が設けられており、前記案内板の面方向が前記円盤側に向けられていることを特徴とする、上記第３の本発明の草刈機である。
【００１４】
これにより、草をモーアユニットの第１ガイド内に円滑に案内出来る。
【発明の効果】
【００１５】
本発明によれば、刈草をより円滑に搬送出来る草刈機を提供することが出来る。
【図面の簡単な説明】
【００１６】
【図１】本発明にかかる実施の形態１における乗用型草刈機の左側面図
【図２】本発明にかかる実施の形態１における乗用型草刈機に連結されたモーアユニットの構成を説明するための概略平面図
【図３】本実施の形態１のモーアユニットの概略左側面図
【図４】本実施の形態１のモーアユニットの概略背面図
【図５】本実施の形態１のモーアユニットのデッキ補強プレートの構成を説明するための概略左側面図
【図６】本実施の形態１のモーアユニットのデッキ補強プレートの構成を説明するための概略背面図
【図７】左側の２枚刃ブレードの構成を示す概略側面図
【発明を実施するための形態】
【００１７】
以下に、図面を参照しながら本発明の草刈機にかかる一実施の形態の乗用型草刈機について説明する。
【００１８】
（実施の形態１）
ここでは、図１〜図４を用いて、本実施の形態１の乗用型草刈機についてその構成と動作を説明する。
【００１９】
図１は、本発明にかかる実施の形態１における乗用型草刈機の左側面図である。図２は、本発明にかかる実施の形態１における乗用型草刈機に連結されたモーアユニット（草刈装置）の構成を説明するための概略平面図であり、図３は、本実施の形態のモーアユニットの概略左側面図であり、図４は、本実施の形態のモーアユニットの概略背面図である。
【００２０】
尚、本明細書において、前方向とは、草を刈る際の進行方向を前方向として示し、左方向とは、乗用型草刈機に作業者が乗って進行方向を見たときの左手方向、右方向とは、乗用型草刈機に作業者が乗って進行方向を見たときの右手方向を示す。
【００２１】
図１に示す通り、本実施の形態１の乗用型草刈機１００は、作業者が乗る走行車体１と、走行車体１の前側部下方にリンク機構のリフトアーム（図示省略）を介して連結されたフロント型のモーアユニット２とを備えている。
【００２２】
尚、モーアユニット２は、非作業走行時や点検時において、リフトアームにより上方にリフトアップされる構成である。
【００２３】
走行車体１は、左右一対の前輪３と、左右一対の後輪４を有し、走行車体１の後部には、ボンネット１１で覆われたエンジン５が設けられており、ボンネット１１の上方に刈草を収納するコレクター１４が配置されている。
【００２４】
また、走行車体１の前部には、ステップフロア６が設けられており、ステップフロア６の上方には運転座席７が配置されている。運転座席７の前方には、ステアリングポスト８が設けられており、ステアリングポスト８の上部にはハンドル９が配置されている。
【００２５】
また、運転座席７の後方下部には、刈草をコレクター１４に空気搬送するためのブロアー１６を内装したブロアーケース１６ａが設けられている。そして、ブロアーケース１６ａの吸気口とモーアユニット２の後部との間をつなぐ側面視で後上がりに傾斜した蛇腹状の刈草搬送筒１８が配置されており、ブロアーケース１６ａの排気口とコレクター１４との間をつなぐダクト１７が配置されている。これにより、モーアユニット２で刈り取られた刈草は、モーアデッキ２００の後部中央の排出口から刈草搬送筒１８を経てブロアーケース１６ａに搬送され、更に、ダクト１７を経てコレクター１４に空気搬送される。
【００２６】
また、エンジン５からの駆動力は、自在継手１０を経て分配伝動軸２０に伝達されて、一部がブロアー伝動ケース２１を介してブロアー１６に伝達されて、他の一部が、走行動力等として分配されて前輪３と後輪４に伝達され、更に、その一部がモーア入力軸２２を介してモーアユニット２へ伝達され、左右一対のブレードを回転させる構成である。
【００２７】
次に、主として図２〜４を参照しながら本実施の形態の乗用型草刈機１００のモーアユニット２について更に説明する。
【００２８】
図２に示す通り、モーアユニット２は、回転しながら草を刈る左右一対のブレード２１０Ｌ、２１０Ｒと、これら左右一対のブレード２１０Ｌ、２１０Ｒがそれぞれ取り付けられ、左右一対の回転軸２１１Ｌ、２１１Ｒに固定された左右一対のブレード取り付け円盤２１２Ｌ、２１２Ｒと、これら左右一対のブレード２１０Ｌ、２１０Ｒ及び左右一対のブレード取り付け円盤２１２Ｌ、２１２Ｒを収納するための、底面側が開放された箱状体のモーアデッキ２００と、モーアデッキ２００の後部の中央位置から後方に向けて刈草を搬送する刈草搬送筒１８とを有している。
【００２９】
また、モーアデッキ２００は、１）左右一対のブレード２１０Ｌ、２１０Ｒの外端の回転軌跡に沿ってモーアデッキ２００の天面に設けられた、平面視で略ひょうたん状に中央部がくびれた左右対称の形状を有する第１ガイド２２０と、２）左右一対のブレード取り付け円盤２１２Ｌ、２１２Ｒの外周端に沿ってモーアデッキ２００の天面に設けられた、平面視で略円形状を有する左右一対の第２ガイド２２１Ｌ、２２１Ｒと、３）モーアデッキ２００の平面視で左右一対のブレード取り付け円盤２１２Ｌ、２１２Ｒの内の右側のブレード取り付け円盤２１２Ｒが反時計方向に回転することにより刈り取られる刈草を搬送する、第１ガイド２２０と右側の第２ガイド２２１Ｒとの間に設けられた右側の第１搬送経路２３０Ｒと、４）モーアデッキ２００の平面視で左右一対のブレード取り付け円盤２１２Ｌ、２１２Ｒの内の左側のブレード取り付け円盤２１２Ｌが時計方向に回転することにより刈り取られる刈草を搬送する、第１ガイド２２０と左側の第２ガイド２２１Ｌとの間に設けられた左右一対の第１搬送経路２３０Ｌと、５）左側の第２ガイド２２１Ｌと、右側の第２ガイド２２１Ｒとの間に設けられ、左右一対の第１搬送経路２３０Ｌ、２３０Ｒから搬送されてくる刈草を後方に向けて搬送する、刈草搬送筒１８と連通した第２搬送経路２４０とを有している。
【００３０】
尚、第２搬送経路２４０の前端部は、左右一対の第１搬送経路２３０Ｌ、２３０Ｒにおける刈草が搬送される向きを基準として、左右一対の第１搬送経路２３０Ｌ、２３０Ｒの左右一対の下流端２３１Ｌ、２３１Ｒと連通しているが、第２搬送経路２４０の後端部は、左右一対の第１搬送経路２３０Ｌ、２３０Ｒの左右一対の上流端２３２Ｌ、２３２Ｒとの間において、双方の経路の連通を遮蔽するための左右一対の遮蔽板２３３Ｌ、２３３Ｒが配置されている。また、モーアデッキ２００の天面に設けられた第１ガイド２２０の当該天面からの高さは、側面視でモーアデッキ２００の高さと概ね同じであるが、左右一対の第２ガイド２２１Ｌ、２２１Ｒは、左右一対のブレード２１０Ｌ、２１０Ｒの回転時のスペースを確保する必要があるので、第１ガイド２２０の上記高さより低く設定されており、モーアデッキ２００の天面から下方に垂直に延びて、左右一対のブレード２１０Ｌ、２１０Ｒの上面の手前まで至る構成である。
【００３１】
尚、モーア入力軸２２により伝達される駆動力は、動力伝達機構２５０を介して、左右一対の回転軸２１１Ｌ、２１１Ｒに伝達されて、左右一対のブレード取り付け円盤２１２Ｌ、２１２Ｒを回転させることにより、左右一対のブレード２１０Ｌ、２１０Ｒを回転させる構成である。
【００３２】
上記の通り、左右一対の第１搬送経路２３０Ｌ、２３０Ｒと、第２搬送経路２４０を備え、左側のブレード２１０Ｌの回転方向を平面視で時計方向とし、右側のブレード２１０Ｒの回転方向を平面視で反時計方向としたことにより、刈草の排出がよりスムーズに行えるという効果を発揮する。
【００３３】
尚、左右一対の第２ガイド２２１Ｌ、２２１Ｒは、通常の工具で取り外し可能に固定されているので、作業者は、草の条件に合わせて、左右一対の第２ガイド２２１Ｌ、２２１Ｒを取り外すことが可能である。
【００３４】
また、モーアデッキ２００内の左側の第１搬送経路２３０Ｌの天面の一部は、モーアデッキ２００の天面の下方に設けられた左側の傾斜天井２３４Ｌにより構成されており、この左側の傾斜天井２３４Ｌによって、左側の第１搬送経路２３０Ｌ内において刈草が搬送される向きを基準として、上流端２３２Ｌ側から下流側に向けて、第１の範囲２３４Ｌａにおいて左側の第１搬送経路２３０Ｌの天面が緩やかに高くなっている。
【００３５】
また、モーアデッキ２００内の右側の第１搬送経路２３０Ｒの天面の一部は、モーアデッキ２００の天面の下方に設けられた右側の傾斜天井２３４Ｒにより構成されており、この右側の傾斜天井２３４Ｒによって、右側の第１搬送経路２３０Ｒ内において刈草が搬送される向きを基準として、上流端２３２Ｒ側から下流側に向けて、第２の範囲２３４Ｒａにおいて右側の第１搬送経路２３０Ｒの天面が緩やかに高くなっている。
【００３６】
尚、左右一対の傾斜天井２３４Ｌ、２３４Ｒのスタート地点である上流端２３２Ｌ、２３２Ｒでの高さは、左右一対の第２ガイド２２１Ｌ、２２１Ｒの下端縁部２２１Ｌａ、２２１Ｒａの位置と同じである。
【００３７】
また、上記の通り、左右一対の第１搬送経路２３０Ｌ、２３０Ｒのそれぞれの天面が、上流側から下流側に向かうに従って、所定範囲内において緩やかに高くなっているので、刈草の排出が更にスムーズに行える。
【００３８】
また、モーアデッキ２００の天面には、左右一対のブレード取り付け円盤２１２Ｌ、２１２Ｒの上方において、刈草の搬送を円滑に行うための空気取り入れ口として、左右一対の回転軸２１１Ｌ、２１１Ｒを中心として放射状に長穴形状の吸風口２０１が設けられている。
【００３９】
これにより、吸気がスムーズに行われて刈草がより円滑に搬送される。
【００４０】
また、モーアデッキ２００の前方の左右位置には高さ調節が可能な左右一対のゲージ輪２０２Ｌ、２０２Ｒが設けられており、モーアデッキ２００の左右方向を基準とした中央部の前端部近傍には回転可能に前接地ローラ２０３が設けられており、モーアデッキ２００の後端部の左右位置には回転可能に左右一対の後接地ローラ２０４Ｌ、２０４Ｒが設けられている。
【００４１】
また、前接地ローラ２０３をモーアデッキ２００に回転可能に取り付けるための左右一対の取り付け部材２０３Ｌ、２０３Ｒを備えており、左右一対の取り付け部材２０３Ｌ、２０３Ｒは、モーアデッキ２００の前端部中央位置において、前後方向に沿って配置され、前接地ローラ２０３を回転自在に保持する左右一対の前側部２０３Ｌａ、２０３Ｒａと、それら左右一対の前側部２０３Ｌａ、２０３Ｒａから後方に向かうに従って左右外側に向かうべく屈曲された左右一対の後側部２０３Ｌｂ、２０３Ｒｂとから構成されている。
【００４２】
左右一対の取り付け部材２０３Ｌ、２０３Ｒの上記屈曲した構成により、モーアデッキ２００の前面の中央付近から入り込んできた草は左右一対の後側部２０３Ｌｂ、２０３Ｒｂにより中央位置から左右方向の後方（図２の矢印Ａ、Ｂ参照）に案内されるので、その草が第１ガイド２２０の外周面に沿って第１ガイド前側中央部２２３に集まることを防止し、草の刈り残しを低減することが出来る。
【００４３】
また、モーアデッキ２００の左側壁の内面２２４Ｌと、第１ガイド２２０の左側壁の外面２２０Ｌとの間には、左側の案内板２２５Ｌが双方の壁面と溶接により固定されており、第１ガイド２２０の左側壁の外面２２０Ｌと左側の案内板２２５Ｌとが平面視で略Ｖ字形状をなすべく、左側の案内板２２５Ｌの面方向が左側のブレード取り付け円盤２１２Ｌ側に向けられている。
【００４４】
また、モーアデッキ２００の右側壁の内面２２４Ｒと、第１ガイド２２０の右側壁の外面２２０Ｒとの間には、右側の案内板２２５Ｒが双方の壁面と溶接により固定されており、第１ガイド２２０の右側壁の外面２２０Ｒと右側の案内板２２５Ｒとが平面視で略Ｖ字形状をなすべく、右側の案内板２２５Ｒの面方向が右側のブレード取り付け円盤２１２Ｒ側に向けられている。
【００４５】
また、これら左右一対の案内板２２５Ｌ、２２５Ｒは、モーアデッキ２００の天面とも溶接により固定されており、その天面から下方に向かう高さは、第１ガイド２２０の高さと同等である。
【００４６】
上述した通り、左右一対の案内板２２５Ｌ、２２５Ｒを設けることにより、モーアデッキ２００の左右側壁の内面２２４Ｌ、２２４Ｒと、第１ガイドの左右側壁の外面２２０Ｌ、２２０Ｒとの間に草が集まることを防止し、モーアデッキ２００の左右両端における刈り残しを低減することが出来る。
【００４７】
即ち、モーアデッキ２００の左右両端は刈り残しが出やすく、特に、平面視で左側のブレードが右回転で、右側のブレードが左回転のとき、それが顕著に表れるが、上記の通り、左右一対の案内板２２５Ｌ、２２５Ｒを設けることにより、矢印Ｃ、Ｄ（図２参照）に示す通りＶ字形状に沿って、草が第１ガイド２２０の内側に寄って、ブレード軌跡内に入ってくるので、刈り残しが低減出来る。
【００４８】
また、左右一対の案内板２２５Ｌ、２２５Ｒを設けることにより、第１ガイド２２０の補強も兼ねることが出来る。
【００４９】
次に、モーアデッキ２００のデッキ補強プレート２６０の構成について図２、図５、図６を用いて説明する。
【００５０】
図５は、本実施の形態のモーアデッキ２００のデッキ補強プレート２６０の構成を説明するための概略左側面図であり、図６は、本実施の形態のモーアデッキ２００のデッキ補強プレート２６０の構成を説明するための概略背面図である。
【００５１】
図２、図５、図６に示す通り、モーアデッキ２００の上面の中央部には、左右一対の回転軸２１１Ｌ、２１１Ｒを取り囲む位置に、モーアデッキ２００を補強するためのリブ状のデッキ補強プレート２６０が設けられている。デッキ補強プレート２６０は、左右一対の回転軸２１１Ｌ、２１１Ｒの前方側において平面視で略コの字形状に構成された前側補強プレート２６１と、左右一対の回転軸２１１Ｌ、２１１Ｒの後方側において平面視で前側補強プレート２６１の長辺部２６１ａと中央部において平行でその両端側２６２Ｌ、２６２Ｒが後方に屈曲した形状に構成された後側補強プレート２６２とからなる。前側補強プレート２６１の長辺部２６１ａの両端縁部から後方へ直角に屈曲した短辺部２６１Ｌ、２６１Ｒの各先端部と、後側補強プレート２６２の両端側２６２Ｌ、２６２Ｒの各先端部とは、互いに接触しておらず一定の間隔を有している。
【００５２】
上記の通り、デッキ補強プレート２６０の左右の後端側において、短辺部２６１Ｌ、２６１Ｒの各先端部と、後側補強プレート２６２の両端側２６２Ｌ、２６２Ｒの各先端部とが一定の距離を隔てて開放区域を構成していることにより、モーアユニット２をリフトアップして走行する時や、草刈作業中の振動等により、上記開放区域から、モーアデッキ２００の上面のデッキ補強プレート２６０の枠内に付着した草等が排出され易くなるので、モーアデッキ２００の上面の掃除が容易になる。
【００５３】
次に、上述した左右一対のブレード２１０Ｌ、２１０Ｒと、左右一対のブレード取り付け円盤２１２Ｌ、２１２Ｒとの固定方法について説明する。
【００５４】
左側のブレード２１０Ｌと、右側のブレード２１０Ｒは同じ構成であるので、ここでは、左側のブレード２１０Ｌについて説明する。
【００５５】
図２に示す通り、左側のブレード取り付け円盤２１２Ｌにおいて、その中心を通る直線上の両端部に左側のブレード２１０Ｌが一つずつ、ブレード取り付け部材２１３により回動自在に取り付けられている。
【００５６】
ブレードが回動可能に取り付けられていることで、通常の回転時には、左側のブレード取り付け円盤２１２Ｌの両端部に取り付けられた左側のブレード２１０Ｌのそれぞれは、遠心力により、一直線状になって回転する。一方、このブレード２１０Ｌが障害物に当たった際、ブレード２１０Ｌが回動して、衝突による衝撃が緩和されるので、ブレード２１０Ｌが損傷を受け難くすることが出来る。また、ブレード２１０Ｌをブレード取り付け円盤２１２Ｌに取り付ける構成にしたので、ブレード２１０Ｌの長さを短く出来、ブレード２１０Ｌの反りを低減することが出来る。
【００５７】
次に、上述した左右一対のブレード２１０Ｌ、２１０Ｒの別の構成例について、図７を用いて説明する。尚、上記構成と同じものには同じ符号を付してその説明を省略する。
【００５８】
図７は、左側の２枚刃ブレード２１５Ｌの構成を示す概略側面図である。左右一対のブレード取り付け円盤１２１Ｌ、２１２Ｒに取り付ける右側の２枚刃ブレードについては、左側の２枚刃ブレード２１５Ｌと同じ構成であるので、説明を省略する。
【００５９】
図７に示す通り、左側の２枚刃ブレード２１５Ｌは、上側の第１ブレード２１５Ｌａと、所定の間隔を保って下側に配置された第２ブレード２１５Ｌｂとからなり、左側のブレード取り付け円盤２１２Ｌの中心を通る直線上において、その円盤２１２Ｌの円周の両端部から半径方向に突き出したブレード取り付けアーム２１２Ｌａに、２枚刃ブレード取り付け部材２１６により回動自在に取り付けられている。
【００６０】
上記の２枚刃ブレードにより、刈草を細かく裁断出来、マルチング作業が可能となる。
【００６１】
また、２枚刃ブレードが回動可能に取り付けられていることにより、通常の回転時には、左側のブレード取り付け円盤２１２Ｌの両端部に取り付けられた左側の２枚刃ブレード２１５Ｌのそれぞれは、遠心力により、一直線状になって回転するとともに、上下に配置された２枚刃ブレードの上側の第１ブレード２１５Ｌａと下側の第２ブレード２１５Ｌｂは互いに実質上平行となる。一方、これら上下のブレード２１５Ｌａ、２１５Ｌｂが障害物に当たった際、上下のブレード２１５Ｌａ、２１５Ｌｂがそれぞれ回動して、衝突による衝撃が緩和されるので、上下の各ブレード２１５Ｌａ、２１５Ｌｂが損傷を受け難くすることが出来る。
【００６２】
尚、上記実施の形態では、モーアデッキ２００の天面の下方に左右一対の傾斜天井２３４Ｌ、２３４Ｒを設けた構成について説明したが、これに限らず例えば、傾斜天井を設けない構成でも良い。
【００６３】
また、上記実施の形態では、前接地ローラ２０３をモーアデッキ２００に回転可能に取り付けるための左右一対の取り付け部材２０３Ｌ、２０３Ｒの後部において、左右外側に向かうべく屈曲されている構成について説明したが、これに限らず例えば、屈曲されていない構成でも良い。
【００６４】
上記実施の形態では、モーアデッキ２００と第１ガイド２２０との間において左右一対の案内板２２５Ｌ、２２５Ｒが溶接固定された構成について説明したが、これに限らず例えば、これらの案内板は無くても良い。
【００６５】
また、上記実施の形態では、ブレードは回動可能にブレード取り付け円盤に取り付けられている構成について説明したが、これに限らず例えば、回動可能ではなくしっかりと固定された構成であっても良い。
【産業上の利用可能性】
【００６６】
本発明の草刈装置によれば、刈草をより円滑に搬送出来る草刈機を提供することが出来るという効果を発揮し、フロント型のモーアユニットを備えた草刈機などとして有用である。
【符号の説明】
【００６７】
１  走行車体
２  モーアユニット（草刈装置）
３  前輪
４  後輪
５  エンジン
６  ステップフロア
７  運転座席
８  ステアリングポスト
９  ハンドル
１０  自在継手
１１  ボンネット
１４  コレクター
１６  ブロアー
１６ａ  ブロアーケース
１７  ダクト
１８  刈草搬送筒
２０  分配伝動軸
２１  ブロアー伝動ケース
２２  モーア入力軸
２００  モーアデッキ
２０１  吸風口
２０２Ｌ  左側のゲージ輪
２０２Ｒ  右側のゲージ輪
２０３  前接地ローラ
２０４Ｌ  左側の後接地ローラ
２０４Ｒ  右側の後接地ローラ
２１０Ｌ  左側のブレード
２１０Ｒ  右側のブレード
２１１Ｌ  左側の回転軸
２１１Ｒ  右側の回転軸
２１２Ｌ  左側のブレード取り付け円盤
２１２Ｒ  右側のブレード取り付け円盤
２１３  ブレード取り付け部材
２１５Ｌ  左側の２枚刃ブレード
２１６  ２枚刃ブレード取り付け部材
２２０  第１ガイド
２２０Ｌ  第１ガイドの左側壁の外面
２２０Ｒ  第１ガイドの右側壁の外面
２２１Ｌ  左側の第２ガイド
２２１Ｒ  右側の第２ガイド
２２１Ｌａ  左側の第２ガイドの下端縁部
２２１Ｒａ  右側の第２ガイドの下端縁部
２２３  第１ガイド前側中央部
２２４Ｌ  左側壁の内面
２２４Ｒ  右側壁の内面
２２５Ｌ  左側の案内板
２２５Ｒ  右側の案内板
２３０Ｌ  左側の第１搬送経路
２３０Ｒ  右側の第１搬送経路
２３１Ｌ  左側の第１搬送経路の下流端
２３１Ｒ  右側の第１搬送経路の下流端
２３２Ｌ  左側の第１搬送経路の上流端
２３２Ｒ  右側の第１搬送経路の上流端
２３３Ｌ  左側の遮蔽板
２３３Ｒ  右側の遮蔽板
２３４Ｌ  左側の傾斜天井
２３４Ｒ  右側の傾斜天井
２４０  第２搬送経路
２５０  動力伝達機構
２６０  デッキ補強プレート
【図１】
2014057555.tif 000003
【図２】
2014057555.tif 000004
【図３】
2014057555.tif 000005
【図４】
2014057555.tif 000006
【図５】
2014057555.tif 000007
【図６】
2014057555.tif 000008
【図７】
2014057555.tif 000009